(57)【要約】【課題】  主要構造部材に内蔵される接合金物が主流で、外力に依って生じる、変形後のあと処理等、環境問題に及ぶ点等が問題視されている。【解決手段】  柱脚の、ほぞ接合部等に対する外力の負荷集中を軽減する、補助部材９を用い、同補助部材、及び土台２等、横架材部材を介し、フリーの状態で土台と柱脚とを係留する特徴の、該柱脚・柱頭保持金具１０の構成をもって、靱性型軸組構造を構築し、床等の水平構面構造との一体化を合わせ、一層の靱性型の相乗効果を発揮する。【選択図】図１
2010043508.tif 000002
【特許請求の範囲】
【請求項１】
土台が、コンクリート基礎上にアンカーボルトで緊結された建築物の上部構造を支え、外力に依る水平荷重を地盤に伝える装置に於いて、外力に依って生じる上部構造の柱脚の浮き上がりを抑止する手段に於いて、主要の軸組構造部材の柱等の垂直材部材、及び土台、胴差等の横架材部材に対する、接合金物の固定、及び締め付けビス等の打ち込みを排除する特徴を有する、柱脚・柱頭保持金具の装置方式。
【請求項２】
前項記載の、上部構造の柱内側には、壁があり、片側の柱との間に設けられた左右対構の耐力要素壁に於いて。
同壁に対する外力に依る水平荷重は、外力が加わる側の柱脚が、引張力作用で浮き上がりが生じ、一方の側の柱脚では、反対に圧縮力作用でめり込み、沈む現象が生じる。このような現象は一本の柱の左右の各側面に於いても同様である。従って、同耐力要素壁は前項〔請求項１〕に記載の、柱脚・柱頭保持金具の装置に於いて、同耐力要素壁の左右各々の柱脚外側面に、補助部材を添着し、同補助部材を介して、該柱脚・柱頭保持金具を装置し、左右双方向の外力の負荷に対応する特徴を有する、柱脚・柱頭保持金具装置の構成。
【請求項３】
前項記載の耐力要素壁の柱頭部では、同柱に架かる上層階の胴差等、横架材部材に上に建つ、上層階柱の柱脚とを、同横架材部材を介して、同時に係留する仕組みを特徴とする、柱脚・柱頭保持金具装置の構成。
【請求項４】
該柱脚・柱頭保持金具の呼稱は、前項記載の上層階の胴差等、横架材部材を介して、上層階柱の柱脚と、下層階柱の柱頭とを、同時に係留する仕組み、及び形状を有した特徴上の総構であり、実際上では部位別の、柱脚保持金具、及び柱頭保持金具が共に呼稱される。
【発明の詳細な説明】
【技術分野】
【０００１】  本発明は、木造建築構造・軸組工法の上部構造に関し、耐震強度、及び耐久性能上の構造に関するものである。
【背景技術】
【０００２】  木造住宅等の軸組工法の接合では、柱・垂直部材の両端部と、土台及び胴差等、横架材部材とは、柱ほぞ仕口が用いられ、横架材部材同志では、追入れ蟻掛け仕口等が一般的である。特に、住宅金融公庫法の、木造住宅工事共通仕様書の内容が貴重な手掛かりとして用いられた。同仕様書に示される各種接合金物等が、上記の各接合部材補強に用いられた。其の後、国産木材に比して安価であった、外材の集成材加工、及びプレカット工場の普及に伴う多種多様の接合金物の開発が始まり、阪神・淡路大震災等が契機となり、金物を多使用する構法が急速で、今では金物構法戦国時代と稱されるに至った。同金物構法で使用される接合金物は、主要部材内に内蔵されて表面の露出度が少なく、美観上勝れた製品ではあるが、反面、取付のための、部材内部の切削、穴あけ等主要部材に於ける欠損が多大な点に問題がある。（特許文献１）【０００３】  他の接合金物に於いても、土台を介して柱脚の浮き上がりを抑えるホールダウン金物等では、基礎中から土台を貫通して立ち上げた棒鋼と、柱側面部で接合する別金具との、軸心ずれ等による他、断熱材とのトラブルを生じ、結露を招く等の諸原因となる点が問題視されている。（非特許文献２）
【特許文献１】特開平８−１８４０６２
【非特許文献２】「木造住宅工事共通仕様書」平成１４年度（全国版）財団法人住宅金融公庫普及協会Ｐ−３６・３７
【発明の開示】
【発明が解決しようとする課題】
【０００４】  従来の接合金物は、集成材加工、及びプレカット工場の普及に伴う金物開発がなされ、其の後、各地の地震発生が契機となり、各種金物構法の出現が急速であった。これら接合金物が内蔵された、主要構造部材部位に対する外力の負荷に於いて、木材との変形に追従できず、何れか、降伏を招く結果の後始末等、対応に多大の問題がある。【０００５】  本発明は、このような課題に則し、例えば土台と柱の接合部・柱脚に対する外力の負荷の集中を避けて、総じて、靱性型の軸組構造をもって、修理、修復に於いても容易に対応できる、柱脚・柱頭保持金具の装置方法を提供することを目的とする。
【課題を解決する為の手段】
【０００６】  前項の目的を達成するため、基礎上に、アンカーボルトで緊結された土台の下端面には空気流通のための空間が設けられてあり、土台に接合された柱脚部には、足固め貫が、刺し通されている。
本発明は、同土台と、足固め貫との間に、補助部材を添着し、同部材等３点を共に介する形態をもって、土台と柱脚とを係留する構成を特徴とする、柱脚・柱頭保持金具の装置・方法をその要旨とした。
【０００７】  請求項２記載の発明は、壁の左右に各々柱が建つ、左右対称の耐力要素壁であり、左右双方向からの外力の負荷に対応する構成を特徴とする、柱脚・柱頭保持金具の装置・方法をその要旨とした。
【０００８】  請求項３記載の発明は、１階部分の耐力要素壁の柱脚保持金具装置に対し、同柱の上方・柱頭上に架かる、２階胴差・横架材部材を介して、１・２階を連ねた形態の、重層の耐力要素壁が設けられる。同耐力要素壁の柱脚と、１階部分の耐力要素壁の柱頭とを、同柱頭上の横架材部材を介して、同時に係留し、また同柱の柱頭と、軒桁・横架材部材との係留も同時に行われ、１・２階を連ねた重層の耐力要素壁の一体化が出来上がる。尚、２階の胴差・横架材部材を介して設けられる、２階床構面、及び２階軒桁を介しての屋根構面が、相互に拘束し合う相乗効果を発揮する、柱脚・柱頭保持金具の装置・方法を、その旨とした。
【発明の効果】
【０００９】  木構造の、柱ほぞ仕口の込栓部位等に対する外力の負荷を分散し、柱脚の浮き上がり、及び割烈、破綻等を防止し、総じて耐震強度、及び耐久性能の高い、靱性型の住宅等の長寿命化、及び国産木材活用化を逓して、住宅産業界、及び森林環境回復等に寄与する。
【００１０】  柱脚の内外両側面部に、各々補助部材を束立てする要領で添着し、外側面の補助部材に本発明の柱脚保持金具を装置する構成をもって、同柱脚部位に対する外力の負荷集中を分散して、該柱脚保持金具の引張応力負担が軽減できるため、同金具の形状等、単純化が可能となり、鋼材の経済的有効活用をもって、国産木材を多用する木造軸組工法に寄与する。
【発明を実施する為の最良の形態】
【００１１】  以下に本発明の最良の実施形態を図面に基づき説明する。
〔図１〕に示すように、コンクリート基礎１には、土台２が、アンカーボルト３で緊結されている。柱４も直下では、基礎パッキン７が敷かれているが同パッキン左右では、空気流通のための空間８が設けられていて、該柱脚保持装置では同空間を利用することが可能である。手始めに、補助部材９を、柱４の柱脚外側面に於いて、土台上端面より足固め通し貫上端面に掛けて束立ての要領で添着する。
【００１２】  添着した補助部材９の手前と奥の双方の側から柱脚保持金具１０の各部品を各々あてがい、釘止めしたのち〔図３〕の引き寄せボルト１６に依る締め付けを行い装着を終了する。続いて、同柱脚の内側面に、補助部材９ａを添着し釘止めする。補助部材９、及び柱脚保持金具１０は、何れも土台、及び柱等の主要構造材に固定されるものでなく、フリーの状態に置くことが、装置及び効果の上での最大の特徴である。柱脚保持金具装置は、もう一方の側の柱脚部位にも、同様手順をもって装置される。
【００１３】  〔図２〕に示す、４分割製作の柱脚・柱頭保持金具は、新築以外の耐震改修時等に於ける装置に適用できる。
分割部品の採用に於いて、上下端部品１３は、数種の柱巾寸法が勘案されている。また、本体部分１０の、部位別の長さ寸法では、一般的の所定寸法に基づいて定められているが、足固め、及び天井通し貫の高さ位置設定に於いて対応できる他、柱の貫穴部位での楔締め等が有効である。
【００１４】  〔図４〕は、他の実施例の形態を示すもので、新築時等に適応する。
新築時等の建方手順に於いて、予め各階の横架材部材の所定位置に嵌めておけばよく、手数が省ける。尚、図に示していないが、曲部角に於ける、一般呼稱「腰強化」等の、強度上の加工措置が講じられる。
【００１５】  次に〔図５〕に従い各部位毎の構成手順を説明する。
同図は、本発明の柱脚・柱頭保持金具を、各階の横架材部材の上下に、重層する形態で設けられた耐力要素壁に於いて、各柱脚・柱頭の要所部位に配し、装置した形態を示す軸組図である。
【００１６】  前項〔００１１〕及び〔００１２〕に記載のように、該柱脚・柱頭保持金具は各階毎の柱脚、及び柱脚の各々の柱外側面に於いて、土台等、各階の横架材部材と、足固め通し貫５、及び天井通し貫５ａとの間に、各々添着した補助部材９の各部材を、共に介する形態の柱脚・柱頭保持金具の構成に於いて、前述同様の手順をもって終了することに依り、３階建て等、重層形態で設けられた耐力要素壁に於いて、各階の横架材部材を介して、各階各々の柱脚、及び柱頭を共に係留することができ、同重層形態の耐力要素壁の一体化ができ上がる。
【００１７】  補助部材９ａに関して、同補助部材９同様に、柱４に対する外力の集中荷重を軽減する等、重要部材である。従って、取り扱いでは、緩み等生じさせない注意力が求められる。
【００１８】  ３階建て等に於いて、最上階迄を通じて設けられる重層耐力要素壁に対して、左右各々の位置に於いて、１・２階部分を重層とし、反対の側にて２・３階を重層とする耐力要素壁が配置される場合がある。
【００１９】  〔図５〕の軸組図（略図）には、３階重層の耐力要素壁軸組に於ける所定の各部位に、柱脚・柱頭保持金具の配置を示した。
同図中、最上階・３階軒桁１８に架かる２階屋根構面１８ａが設けられて、２階胴差等の横架材部材１７には、同様に２階床構面１７ａが構成される。両構面は共に、耐力要素壁と立体的に繋がり、一体化した軸組構造ができ上がる。
【００２０】  〔図６〕は、前項記載の床等の水平構面と、耐力要素壁・垂直構面の一体化を示す〔図５〕の軸組側面図。
【００２１】  以上、実施形態を図面に基づき説明した。
本発明は柱脚・柱頭保持金具装置を実施した耐力要素壁では同壁の、靱性型垂直構面と、前項記載の、屋根、及び床等の水平構面とが立体的に繋がり、一体化した軸組構造ができ上がり、一層の靱性型の相乗効果が発揮できる。
【産業上の利用可能性】  外材等による、集成材出現の連鎖に依り、国内林業の衰退を招き、同様に、森林に期待した公益的多機能に変質を生じ、国土の自然環境等を大きく損なう事態に至った。同事態の収拾には、国内産木材を多用する等、社会基盤の仕組み対策と共に、木造軸組工法の進化等を旨とする開発・改善が求められている。
【図面の簡単な説明】
【００２２】
【図１】柱脚保持金具装置の実施形態斜視図
【図２】本体４分割の各部位形態図
【図３】同保持金具の上下端部材の断面図
【図４】他の実施側の保持金具斜視図
【図５】保持金具を配した耐力要素壁の軸組図
【図６】上記〔図５〕の側面図。屋根、及び床構面の繋がりを示す。
【符号の説明】
【００２３】１      コンクリート基礎
２      土台
３      アンカーボルト
４      １階の柱
４ａ    ２階の柱
４ｂ    ３階の柱
５      足固め通し貫
５ａ    天井通し貫
６      柱ほぞ仕口の込栓
６ａ    柱と各通し貫仕口の込栓
７      基礎パッキン
８      空気流通空間
９      補助部材（各階共通）
９ａ    柱内側面部の補助部材（各階共通）
１０    柱脚・柱頭保持金具本体（左右一対）
１０ａ  ２階胴差等を介して装置する柱脚・柱頭保持金具
１０ｂ  上層階の柱頭保持金具
１１    保持金具本体の上下端部の接合部位
１２    止め釘・ビス穴
１３    本体巾の調整部品
１４    接合部の凸起
１５    タッピングビスの下穴
１６    接合の引き寄せボルト
１７    横架材部材・胴差
１７ａ  ２階床構面
１８    横架材部材・軒桁
１８ａ  屋根構面
【図１】
2010043508.tif 000003
【図２】
2010043508.tif 000004
【図３】
2010043508.tif 000005
【図４】
2010043508.tif 000006
【図５】
2010043508.tif 000007
【図６】
2010043508.tif 000008